(57)【要約】【課題】ＰＲ効果が高く、低コストな広告体を提供する。【解決手段】被取付片１と、被取付片１の縁から延び出す可撓性の第１延出片２と、第１延出片２の先端に接続した環状の第１広告片３と、第１広告片３の縁から延び出す可撓性の第２延出片４と、その第２延出片４の先端に接続した第２広告片５とを有し、その第２広告片５を第１広告片３に通過させることにより第１広告片３の前方にぶら下げた構成を広告体に採用する。【選択図】図２
2008216627.tif 000002
【特許請求の範囲】
【請求項１】
環状の第１広告片（３）と、その第１広告片（３）の縁から延び出す可撓性の第２延出片（４）と、その第２延出片（４）の先端に接続した第２広告片（５）とを有し、その第２広告片（５）を前記第１広告片（３）に通過させることにより第１広告片（３）の前方にぶら下げた広告体。
【請求項２】
請求項１に記載の広告体と、取付対象（１０）に取り付けられる被取付片（１）と、その被取付片（１）の縁から延び出す可撓性の第１延出片（２）とを有し、その第１延出片（２）の先端に前記第１広告片（３）を接続した広告体。
【請求項３】
前記第２延出片（４）の両側縁に耳片（６，６）を連設し、その耳片（６）と第２延出片（４）の間に形成した切込み（７）を第１広告片（３）の内周縁（９）に係合させ、その係合により、前記第２延出片（４）を前記第１広告片（３）の内周縁（９）に固定した請求項１または２に記載の広告体。
【発明の詳細な説明】
【技術分野】
【０００１】
この発明は、目立ちやすく低コストな広告体に関する。
【背景技術】
【０００２】
従来、商品を広告する広告体として、図６に示すように、商品陳列棚や商品などの取付対象２０に取り付けられる被取付片２１と、その被取付片２１の縁から延び出す可撓性の延出片２２と、その延出片２２の先端に接続した広告片２３とからなるものが知られている。この広告体は、延出片２２が撓んだ状態で広告片２３を支持するので、振動や風により広告片２３が揺れ、消費者の注意を広告片２３に惹きやすい。
【０００３】
このような広告体において、消費者に対するＰＲ効果を高めるため、取付対象に取り付けられる被取付片と、その被取付片の縁から延び出す可撓性の延出片と、その延出片の先端に接続した第１広告片と、その第１広告片の前面に接着した中間体と、その中間体の前面に接着した第２広告片とからなるものが提案されている（特許文献１）。この広告体は、第２広告片が第１広告片の前方に位置するので立体感がある。
【０００４】
しかし、この広告体は、第１広告片と中間体と第２広告片とを互いに接着するための接着剤や両面接着テープを必要とし、製作コストが高かった。
【特許文献１】特許第３７０３９１５号公報
【発明の開示】
【発明が解決しようとする課題】
【０００５】
この発明が解決しようとする課題は、ＰＲ効果が高く、低コストな広告体を提供することである。
【課題を解決するための手段】
【０００６】
上記の課題を解決するため、環状の第１広告片と、その第１広告片の縁から延び出す可撓性の第２延出片と、その第２延出片の先端に接続した第２広告片とを有し、その第２広告片を前記第１広告片に通過させることにより第１広告片の前方にぶら下げた構成を広告体に採用した。
【０００７】
また、この発明では、上記広告体と、取付対象に取り付けられる被取付片と、その被取付片の縁から延び出す可撓性の第１延出片とを有し、その第１延出片の先端に前記第１広告片を接続した広告体を提供する。
【０００８】
また、前記第２延出片の両側縁に耳片を連設し、その耳片と第２延出片の間に形成した切込みを第１広告片の内周縁に係合させ、その係合により、前記第２延出片を前記第１広告片の内周縁に固定すると好ましい。
【発明の効果】
【０００９】
請求項１に記載の広告体は、第２延出片が撓んだ状態で第２広告片を支持するので、振動や風があると、第２広告片が第１広告片に対して揺れ、消費者の注意を惹きやすい。また、第２広告片５が第１広告片３の前方に位置するので、立体感がある。そのため、この広告体は、ＰＲ効果が高い。
【００１０】
また、この広告体は、第２広告片を第１広告片に通過させることによって、第１広告片の前方に第２広告片をぶら下げているので、接着剤や両面接着テープが不要であり、製作コストが低い。
【００１１】
また、請求項２に記載の広告体は、第１延出片が撓んだ状態で第１広告片を支持するとともに、第２延出片が撓んだ状態で第２広告片を支持するので、振動や風があると、第１広告片が揺れると同時に、第２広告片も第１広告片に対して揺れ、消費者の注意を惹きやすい。そのため、この広告体は、よりＰＲ効果が高い。
【００１２】
また、前記第２延出片の両側縁に耳片を連設し、その耳片と第２延出片の間に形成した切込みを第１広告片の内周縁に係合させ、その係合により、前記第２延出片を前記第１広告片の内周縁に固定すると、第２広告片の第１広告片から前方への突出長さをより安定させることができる。
【発明を実施するための最良の形態】
【００１３】
図１に、この発明の第１実施形態の広告体のブランクを示す。この広告体は、可撓性のシートに打抜き加工を施して形成したものであり、方形状の被取付片１と、その被取付片１の外縁から延び出す帯状の第１延出片２と、第１延出片２の先端に接続した環状の第１広告片３と、第１広告片３の外縁から延び出す第２延出片４と、第２延出片４の先端に接続した第２広告片５とを有する。
【００１４】
第２広告片５は、第１広告片３の内周よりも狭幅に形成されており、第１広告片３を通過可能となっている。また、第２延出片４の両側縁には耳片６，６が連設され、各耳片６と第２延出片４の間には、第１広告片３側に開放する切込み７が形成されている。
【００１５】
このブランクの組み立ては、たとえば、次のようにして行なう。まず、第１広告片３と第２延出片４の間の折目線８に沿って第２延出片４を第１広告片３の後側に折り曲げる。次に、第２広告片５を第１広告片３に通過させ、第２広告片５を第１広告片３の前方にぶら下げる。このとき、図３に示すように、切込み７を第１広告片３の内周縁９に係合させることにより、第２延出片４を第１広告片３の内周縁９に固定する。
【００１６】
組み立てた広告体は、図２に示すように、被取付片１を商品陳列棚１０のスリット１１に差し込んだり、被取付片１を両面接着テープで商品（図示せず）に接着したりすることにより、取付対象に取り付けることができる。
【００１７】
この広告体は、第１延出片２が撓んだ状態で第１広告片３を支持するとともに、第２延出片４が撓んだ状態で第２広告片５を支持するので、振動や風があると、第１広告片３が揺れると同時に、第２広告片５も第１広告片３に対して揺れ、消費者の注意を惹きやすい。また、第２広告片５が第１広告片３の前方に位置するので、立体感がある。そのため、この広告体は、ＰＲ効果が高い。
【００１８】
また、この広告体は、第２広告片５を第１広告片３に通過させることによって、第１広告片３の前方に第２広告片５をぶら下げているので、組み立てる際、接着剤や両面接着テープが不要であり、製作コストが低い。
【００１９】
また、この広告体は、耳片６の切り込み７と第１広告片３の内周縁９の係合により、前記第２延出片４が前記第１広告片３の内周縁９に固定されているので、第２広告片５の第１広告片３から前方への突出長さが安定する。
【００２０】
第１広告片３は、図１、図２に示すように円形の環状としてもよく、また、図４、図５に示すようにハート形の環状としてもよい。また、第２広告片５は、図１、図２に示すように、第２延出片４に向かって幅が次第に狭くなるテーパ形状としてもよく、また、図４、図５に示すように方形状としてもよい。
【００２１】
上記広告体を形成する可撓性のシートとしては、たとえば、紙シートや、プラスチックシートなどが挙げられる。
【００２２】
上記実施形態では、第１延出片２が撓んだ状態で第１広告片３を支持することにより、第１広告片３が揺れるようにし、ＰＲ効果をより高めているが、第１延出片２は必須ではなく、第１広告片３を他の部材（紐など）で支持したり、商品に直接貼り付けたりしてもよい。
【００２３】
また、上記実施形態では、切込み７を内周縁９に係合させる作業を簡単にするため、第２延出片４の側縁に耳片６を形成しているが、第１広告片３の内周縁９に係合させる切込みは、第２延出片４に直接形成してもよい。
【図面の簡単な説明】
【００２４】
【図１】この発明の実施形態の広告体のブランクを示す平面図
【図２】図１に示すブランクを組み立てた広告体を示す斜視図
【図３】図２に示す広告体を前方斜め下から見た斜視図
【図４】図１に示すブランクの変形例を示す平面図
【図５】図４に示すブランクを組み立てた広告体を示す斜視図
【図６】従来の広告体を示す斜視図
【符号の説明】
【００２５】
１      被取付片
２      第１延出片
３      第１広告片
４      第２延出片
５      第２広告片
６      耳片
７      切込み
９      内周縁
１０    商品陳列棚
【図１】
2008216627.tif 000003
【図２】
2008216627.tif 000004
【図３】
2008216627.tif 000005
【図４】
2008216627.tif 000006
【図５】
2008216627.tif 000007
【図６】
2008216627.tif 000008